(57)【特許請求の範囲】
【請求項１】
複数の縮小画像をマルチ画面で表示する機能を有し、マルチ画面を構成する複数の子画面領域の位置と、前記複数の縮小画像に一定の順序で付与されている画像指定情報を一対一に対応させて、前記複数の縮小画像をそれぞれ対応する子画面領域に表示する画像表示装置において、前記画像指定情報の順序とは異なる順序であって、マルチ画面を構成する複数の子画面領域の内、外側に位置する子画面領域から内側に位置する子画面領域へ進む順序、若しくは内側に位置する子画面領域から外側に位置する子画面領域へ進む順序で、各縮小画像を順次、対応する子画面領域に表示することを特徴とする画像表示装置。
【請求項２】
マルチ画面を構成する複数の子画面領域の内、中心に位置する子画面領域から周囲の子画面領域へ向かって渦巻き状に進む順序で、前記複数の縮小画像を表示する請求項１に記載の画像表示装置。
【請求項３】
前記複数の子画面領域について各子画面領域に縮小画像を表示する順序を表わす順序データが格納されているメモリを有し、該メモリに格納されている順序データに従った順序で、前記複数の縮小画像を対応する子画面領域に表示する請求項１または請求項２に記載の画像表示装置。
【発明の詳細な説明】
【技術分野】
【０００１】
本発明は、デジタルカメラの如く画像表示機能を有する画像表示装置に関するものである。
【背景技術】
【０００２】
従来、デジタルカメラにおいては、撮影済みの複数枚の画像の中から所望の１枚の画像を選択する際に、これら複数枚の画像をサムネイル画像等の縮小画像に変換し、これら複数枚の縮小画像をマルチ画面に構成して画像モニターに表示することが可能となっている(特許文献１〜４参照)。
【０００３】
サムネイル画像のマルチ画面表示においては、例えば図８(ａ)に示す様にディスプレイ(８)にマルチ画面を構成する複数(例えば２５)の子画面領域が設けられ、これらの子画面領域には、それぞれの画面上の位置を表わすアドレス情報(場所１〜２５)が付与されると共に、図８(ｂ)に示す様に、ディスプレイ(８)の各子画面領域に表示すべき複数枚のサムネイル画像には、一定の順序(例えば撮影日時順)で画像指定情報(画１〜２５)が付与されており、アドレス情報と画像指定情報を一対一に対応させて、複数のサムネイル画像(画１〜２５)がそれぞれ対応する子画面領域(場所１〜２５)に表示される。
【０００４】
尚、マルチ画面表示においては、ディスプレイ(８)の画面の左上から右下に向かって複数枚のサムネイル画像を画像指定情報(画１〜２５)の順序で表示する方法や、全てのサムネイル画像をマルチ画面に合成した上で一度にディスプレイ(８)に表示する方法が採られている。
【０００５】
図７は、前者の方法の具体的な手続きを表わしている。先ずステップＳ１１にて、マルチ画面表示を指令するユーザー操作が行なわれると、縮小画像表示モードに遷移し、ステップＳ１２にて処理が開始される。先ずステップＳ１３にてカウンターｉを１に設定した後、ステップＳ１４にて、マルチ画面の場所ｉに画ｉを表示する。次に、ステップＳ１５では、カウンターｉを１だけ増やした後、ステップＳ１６に移行して、カウンターｉが２５に等しいか否かを判断する。
ここでノーと判断されたときはステップＳ１４に戻って、画ｉの表示を進める。そして、ステップＳ１６にてイエスと判断されたとき、ステップＳ１７に移行して、表示処理を完了する。その後、ステップＳ１８では、表示された複数枚のサムネイル画像の中から１枚のサムネイル画像を選択するユーザー操作が行なわれ、選択された画像を対象とする処理へ進む。
【特許文献１】特開平１１−１７７９２６号公報
【特許文献２】特開平１１−１７７９２６号公報
【特許文献３】特開平１１−１８７３４７号公報
【特許文献４】特開２０００−１０５７７２号公報
【発明の開示】
【発明が解決しようとする課題】
【０００６】
しかしながら、従来のサムネイル画像のマルチ画面表示において、複数枚のサムネイル画像をマルチ画面に合成した上で一度に表示する方法では、画像の表示されない空白期間が生じる問題があった。又、複数枚のサムネイル画像を画像指定情報の順序で行なう方法によっても、従来のマルチ画面の表示方法は単調であるため、全てのサムネイル画像の表示が完了するまで、ユーザーは退屈な時間を過ごさねばならない問題があった。
そこで本発明の目的は、マルチ画面表示において全ての縮小画像が表示されるまでの描画時間を楽しむことが出来る画像表示装置を提供することである。
【課題を解決するための手段】
【０００７】
本発明に係る画像表示装置は、複数の縮小画像をマルチ画面で表示する機能を有し、マルチ画面を構成する複数の子画面領域の位置と、前記複数の縮小画像に一定の順序で付与されている画像指定情報を一対一に対応させて、前記複数の縮小画像をそれぞれ対応する子画面領域に表示するものであって、前記画像指定情報の順序とは異なる順序であって、マルチ画面を構成する複数の子画面領域の内、外側に位置する子画面領域から内側に位置する子画面領域へ進む順序、若しくは内側に位置する子画面領域から外側に位置する子画面領域へ進む順序で、各縮小画像を順次、対応する子画面領域に表示することを特徴とする。
【０００８】
具体的構成において、本発明の画像表示装置は、前記複数の子画面領域について各子画面領域に縮小画像を表示する順序を表わす順序データが格納されているメモリを有し、該メモリに格納されている順序データに従った順序で、前記複数の縮小画像を対応する子画面領域に表示する。
【０００９】
マルチ画面の表示においては、例えば複数の子画面領域の内、中心に位置する子画面領域から周囲の子画面領域へ向かって渦巻き状に進む順序で、前記複数の縮小画像を表示する。
【００１０】
この様に、マルチ画面の表示においては、複数の縮小画像が従来の様に画面の左上から右下に向かって単調に表示されるのではなく、例えばマルチ画面の内側から外側へ向かって、或いは外側から内側へ向かって、バラエティに富んだ順序で縮小画像の表示が進められるので、その視覚効果により、ユーザーは縮小画像の表示が進められる過程を退屈することなく観察することになる。
【発明の効果】
【００１１】
本発明に係る画像表示装置によれば、マルチ画面表示において全ての縮小画像が表示されるまでの描画時間を楽しむことが出来る。
【発明を実施するための最良の形態】
【００１２】
以下、本発明をデジタルカメラに実施した形態につき、図面に沿って具体的に説明する。
本発明に係るデジタルカメラは、図１に示す如く、対物レンズ等の光学系(１)と、光学系(１)を通過した光が入射するＣＣＤ(２)と、ＣＣＤ(２)の出力信号に必要な処理を施す信号処理回路(３)と、種々の制御動作を実行するＣＰＵ(４)と、ユーザーが操作すべき操作ボタン(５)と、種々のデータが格納されるメインメモリ(６)と、撮影画像が記録されるメモリカード等の記録媒体(７)と、撮影画像やサムネイル画像を表示すべきディスプレイ(８)とを具えている。
【００１３】
該デジタルカメラにおいては、記録媒体(７)に書き込まれている複数枚の画像から１枚の画像を選択する場合、これら複数枚の画像がサムネイル画像として図２(ａ)に示す如くディスプレイ(８)にマルチ画面表示される。
サムネイル画像のマルチ画面表示においては、従来と同様に、ディスプレイ(８)にマルチ画面を構成する複数(例えば２５)の子画面領域が設けられ、これらの子画面領域には、それぞれの画面上の位置を表わすアドレス情報(場所１〜２５)が付与されると共に、ディスプレイ(８)の各子画面領域に表示すべき複数枚のサムネイル画像には、一定の順序(例えば撮影日時順)で画像指定情報(画１〜２５)が付与されており、アドレス情報と画像指定情報を一対一に対応させて、複数のサムネイル画像(画１〜２５)がそれぞれ対応する子画面領域(場所１〜２５)に表示される。
【００１４】
本発明に係るデジタルカメラにおいては、複数のサムネイル画像をそれぞれ対応するマルチ画面の子画面領域(場所１〜２５)に表示する場合、画像指定情報(画１〜２５)の順序とは異なる順序で、各縮小画像を順次、対応する子画面領域に表示する。
例えば図４の如く、マルチ画面を構成する複数の子画面領域の内、中心に位置する子画面領域から周囲の子画面領域へ向かって、渦巻き状に進む順序で、複数の縮小画像を表示する。
或いは図５の如く、マルチ画面を構成する複数の子画面領域の内、外側に位置する子画面領域から内側に位置する子画面領域へ向かって、上下に閉じる方向に順次、複数の縮小画像を表示する。
或いは図６の如く、マルチ画面を構成する複数の子画面領域の内、外側に位置する子画面領域から内側に位置する子画面領域へ向かって、左右に閉じる方向に順次、複数の縮小画像を表示する。
【００１５】
この様なマルチ画面の表示手続きは、図１のメインメモリ(６)に格納されているテーブルを参照して行なわれる。該テーブルは、図２(ｂ)或いは(ｃ)に示す様に、サムネイル画像を表示する順序(１〜２５)と、複数の子画面領域の位置を表わすアドレス情報(場所１〜２５)との対応関係を規定したものであって、アドレス情報を表示の順序で並べた順序データを含んでいる。尚、図２(ｂ)は、図４の如く渦巻き状に表示を進める場合のテーブルを示し、図２(ｃ)は、図５の如く上下に閉じる方向に表示を進める場合のテーブルを示している。
【００１６】
図３は、マルチ画面の表示手続きの具体例を示している。先ずステップＳ１にて、マルチ画面表示を指令するユーザー操作が行なわれると、縮小画像表示モードに遷移し、ステップＳ２にて処理が開始される。先ずステップＳ３にて前記テーブルの１番目の値をカウンターｉに代入し、ステップＳ４にて、マルチ画面の場所ｉに画ｉを表示する。次に、ステップＳ５では、前記テーブルを下に１つだけ進んで、その位置の値をカウンターｉに代入した後、ステップＳ６に移行して、テーブルが最後まで進んだか否かを判断する。
ここでノーと判断されたときはステップＳ４に戻って、場所ｉに画ｉを表示する手続きを繰り返す。そして、ステップＳ６にてイエスと判断されたとき、ステップＳ７に移行して、表示処理を完了する。その後、ステップＳ８では、表示された複数枚のサムネイル画像の中から１枚のサムネイル画像を選択するユーザー操作が行なわれ、選択された画像を対象とする処理へ進む。
【００１７】
上述の如く、本発明に係るデジタルカメラによれば、サムネイル画像のマルチ画面表示において、図４に示す様にマルチ画面の内側の子画面表示領域から外側の子画面表示領域へ向かって、或いは図５や図６に示す様に、外側の子画面表示領域から内側の子画面表示領域へ向かって、バラエティに富んだ順序で縮小画像の表示が進められるので、その視覚効果により、ユーザーは縮小画像の表示が進められる過程を退屈することなく観察することになる。従って、ユーザーは、全ての縮小画像が表示されるまでの描画時間を楽しむことが出来る。
【００１８】
尚、本発明の各部構成は上記実施の形態に限らず、特許請求の範囲に記載の技術的範囲内で種々の変形が可能である。例えば、マルチ画面の表示順序は、図４〜図６に示す一定の規則的な順序に限らず、ランダムな順序で複数のサムネイル画像を表示する構成も採用可能である。
【図面の簡単な説明】
【００１９】
【図１】本発明に係るデジタルカメラの構成を示すブロック図である。
【図２】本発明に係るマルチ画面の表示例とメインメモリ内のテーブルのデータ構造を示す図である。
【図３】本発明に係るデジタルカメラにおけるマルチ画面表示手続きを示すフローチャートである。
【図４】マルチ画面を構成する複数のサムネイル画像の表示順序を示す図である。
【図５】同上の表示順序の他の例を示す図である。
【図６】同上の表示順序の更に他の例を示す図である。
【図７】従来のデジタルカメラにおけるマルチ画面表示手続きを示すフローチャートである。
【図８】複数の子画面領域の位置を表わすアドレス情報と複数のサムネイル画像に付与されている画像指定情報との対応関係を説明する図である。
【符号の説明】
【００２０】
(１)  光学系
(２)  ＣＣＤ
(３)  信号処理回路
(４)  ＣＰＵ
(５)  操作ボタン
(６)  メインメモリ
(７)  記録媒体
(８)  ディスプレイ
【図１】
0004812475.tif 000002
【図２】
0004812475.tif 000003
【図３】
0004812475.tif 000004
【図４】
0004812475.tif 000005
【図５】
0004812475.tif 000006
【図６】
0004812475.tif 000007
【図７】
0004812475.tif 000008
【図８】
0004812475.tif 000009